(57)【要約】 【課題】  従来のロッカーはズボンを履き替えるときに、足を乗せるプレートをしゃがんで掴み、出し入れしなければならず、操作がめんどうである。また扉の開閉に連動して、プレートを出し入れする従来のロッカーは、足を乗せるのに十分の長さを確保できなかった。【解決手段】  ロッカー本体２の前面パネル７に形成された切欠き18と、前記切欠き18からロッカー本体２の下方に出し入れ自在なプレート23と、前記プレート23を動力伝達手段を介して、前後方向に移動するモータ36と、前記モータ36を正転させる第１スイッチ16ａと、前記モータ36を逆転させる第２スイッチ17ａとを設けた。これにより、スイッチ16ａ，17ａを押圧する簡単な操作で、プレート23を出し入れでき、しかもプレート23を引き出せる長さは、足を乗せるのに十分な長さを確保することができる。  【選択図】  図１
2007252471.tif 000002
【特許請求の範囲】
【請求項１】
前面に開閉自在な扉が設けられ、内部に物を収納するロッカー本体と、ロッカー本体の下端部に設けられ、ロッカー本体の底板を載地面から浮かせる支持部と、前記扉の下方の支持部に形成された横長の切欠きと、この切欠きから前記底板の下方に挿通され、前記支持部に設けられたガイド部と、このガイド部にガイドされ、第１の位置と第２の位置との間で前後方向に移動自在なプレートと、このプレートを動力伝達手段を介して、正転時に第１の位置方向に移動するとともに逆転時に第２の位置方向に移動するモータと、前記モータを正転させる第１スイッチと、前記モータを逆転させる第２スイッチとからなることを特徴とするロッカー。
【請求項２】
前面に開閉自在な扉が設けられ、内部に物を収納するロッカー本体と、ロッカー本体の下端部に設けられ、ロッカー本体の底板を載地面から浮かせる支持部と、前記扉の下方の支持部に形成された横長の切欠きと、この切欠きから前記底板の下方に挿通され、前記支持部に設けられたガイド部と、このガイド部にガイドされ、第１の位置と第２の位置との間で前後方向に移動自在なプレートと、このプレートを動力伝達手段を介して、正転時に第１の位置方向に移動するとともに逆転時に第２の位置方向に移動するモータと、前記モータを正転させる第１スイッチと、前記モータを逆転させる第２スイッチと、第１スイッチによる正転及び第２スイッチによる逆転を一定時間継続して停止する制御部とからなることを特徴とする請求項１記載ロッカー。
【請求項３】
前面に開閉自在な扉が設けられ、内部に物を収納するロッカー本体と、ロッカー本体の下端部に設けられ、ロッカー本体の底板を載地面から浮かせる支持部と、前記扉の下方の支持部に形成された横長の切欠きと、この切欠きから前記底板の下方に挿通され、前記支持部に設けられたガイド部と、このガイド部にガイドされ、第１の位置と第２の位置との間で前後方向に移動自在なプレートと、このプレートを動力伝達手段を介して、正転時に第１の位置方向に移動するとともに逆転時に第２の位置方向に移動するモータと、前記モータを正転させる第１スイッチと、前記モータを逆転させる第２スイッチと、第１の位置のプレートを検出する第１センサと、第２の位置のプレートを検出する第２センサと、前記正転を継続させ、プレートが第１の位置に移動したときに正転を停止するとともに、前記逆転を継続させ、プレートが第２の位置に移動したときに逆転を停止する制御部とからなることを特徴とする請求項１記載のロッカー。
【請求項４】
前記第１スイッチは、ロッカー本体の内部に設けられていることを特徴とする請求項１〜３記載のロッカー。
【請求項５】
前記第２スイッチは扉の開閉に連動してＯＦＦ，ＯＮされることを特徴とする請求項２ないし３記載のロッカー。
【請求項６】
前記プレートは、抗菌加工が施されていることを特徴とする請求項１〜５記載のロッカー。
【発明の詳細な説明】
【技術分野】
【０００１】
本発明は、会社の更衣室等に置かれ、衣服や小物等を収納するロッカーに関する。
【背景技術】
【０００２】
ロッカーは更衣室等に置かれており、私服や仕事着に着替えたとき、扉を開閉して内部に、脱いだ衣服を収納でき便利である。ところで、更衣室の床は、道路やトイレを歩いた履物で歩かれているため、汚れており、不衛生である。上着の着替えは履物を履いたまま着替えを行うことができるが、ズボンやスカート（以下、単にズボンという）を履き替えるときには、ロッカーが置かれた扉前方の床（以下、単に着替えスペースという）で履物を脱いで立ち履き替えを行うので、足が汚れたりして、不衛生である。このため、着替えスペースすのこ等を置き、これらに履物を脱いだ足を乗せ、床に触れないようにしていた。
【発明の開示】
【発明が解決しようとする課題】
【０００３】
しかしながら、着替えスペースにすのこを配置すると、更衣室を清掃するときには、すのこが邪魔になり、床掃除がしにくいという問題がある。また更衣室の形状及び広さ、そこに配置されるロッカーの数により、着替えスペースが形状がまちまちとなる。このため、着替えスペースに置かれるすのこのサイズは、更衣室毎に異なる場合が多く、すのこは既製ではなく、特注ものとなりコストがかかるという問題も派生する。これらの問題を解決するために、
【０００４】
実開昭５０−３１０２３号公報記載のロッカーでは、扉の下方に扉と同等巾の足場板を引き出し自在に、かつ足場板の前面に把手を設け、ズボンを履き替えるときに、引き出した足場板に履物を脱いだ足を乗せるようにしている。しかしながら、このロッカーでは着替えをするときに、しゃがんで把手を掴み、足場板を出し入れしなければならず、また入れ戻すのを忘れると、足場板が邪魔になるという問題がある。この問題を解決するために、
【０００５】
特開平８−１５００３３号公報記載のロッカーでは、スノコの前端部に係  合溝を形成し、この係合溝に扉から垂下した推動部材を設け、扉の開閉に連動してスノコを出し入れするようにしている。しかしながら、このロッカーでは、スノコが引き出される長さが、扉の巾とほぼ同じであるため、足を乗せるための長さが確保できないという問題がある。
【特許文献１】実開昭５０−３１０２３号公報
【特許文献２】特開平８−１５００３３号公報
【課題を解決するための手段】
【０００６】
上記課題を解決するために、請求項１記載の発明では、前面に開閉自在な扉が設けられ，内部に物を収納するロッカー本体と、ロッカー本体の下端部に設けられ、ロッカー本体の底板を載地面から浮かせる支持部と、前記扉の下方の支持部に形成された横長の切欠きと、この切欠きから前記底板の下方に挿通され、前記支持部に設けられたガイド部と、このガイド部にガイドされ、第１の位置と第２の位置との間で前後方向に移動自在なプレートと、このプレートを動力伝達手段を介して、正転時に第１の位置方向に移動するとともに逆転時に第２の位置方向に移動するモータと、前記モータを正転させる第１スイッチと、前記モータを逆転させる第２スイッチとで構成した。
【０００７】
また請求項２記載の発明では、請求項１記載の構成に、第１スイッチによる正転及び第２スイッチによる逆転を一定時間継続して停止する制御部を加えて構成した。更に請求項３記載の発明では、請求項１記載の構成に、第１の位置のプレートを検出する第１センサと、第２の位置のプレートを検出する第２センサと、前記正転を継続させ、プレートが第１の位置に移動したときに正転を停止するとともに、前記逆転を継続させ、プレートが第２の位置に移動したときに逆転を停止する制御部とを加えて構成した。
【０００８】
また請求項４記載の発明では、前記第１スイッチを、ロッカー本体の内部に設けたものである。また請求項５記載の発明では、前記第２スイッチを、扉の開閉に連動してＯＦＦ，ＯＮするようにしたものである。更に請求項６記載の発明では  前記プレートに抗菌加工を施したものである。
【発明の効果】
【０００９】
請求項１記載のロッカーによれば、第１の位置と第２の位置との間で移動自在なプレートを、モータで移動させるようにし、第１スイッチを押したときにプレートをロッカー本体前面に移動するとともに、第２スイッチを押したときにプレートをロッカー本体の下方に移動して収納できるようにしたから、しゃがんでプレートを掴んで引き出したり、押し込んだりせずに、スイッチを押す簡単な操作でプレートを出し入れすることができる。
【００１０】
このため、ズボンを履き替えるときに、履物を脱いだ足をプレートに乗せることができるから、足が汚れることがない。その際に、足で踏まれたプレートに手を触れることがないので、衛生的である。またプレートの移動距離は、スイッチの操作時間に準じるので、ロッカー前に着替える人が少ないときには足を乗せるのに十分の長さを確保できる長さ、例えばロッカー本体の奥行きの２／３を引き出し、また着替える人が多いときには、足が乗せられる最小限の長さを引き出して、プレートに足を乗せてズボンやスカートを履き替えることができる。
【００１１】
請求項２記載のロッカーによれば、第１スイッチが押されると、モータが予め設定された回転数を正転し、第２スイッチが押されると、予め設定された回転数を逆転して、プレートを一定の長さ出し入れするオープンループ制御を行うから、移動しているプレートを目視せずに、しかもワンタッチ操作で、プレートを出し入れすることができる。請求項３記載のロッカーによれば、第１、第２の位置でプレートの検出を行い、これをフィードバックしてモータの正転及び逆転を停止するクローズドループ制御を行うようにしたから、プレートを確実に決められた位置に停止することができる。
【００１２】
請求項４記載のロッカーによれば、第１スイッチをロッカー本体の内部に設けたから、第３者のいたずらでプレートを引き出されることを防止することができる。請求項５記載のロッカーよれば、第２スイッチを扉の開閉に連動してＯＦＦ，ＯＮするようにするとともに、扉を閉じたときにＯＮするようにしたから、プレートが引き出されている場合には、扉を閉めると、ロッカー本体の下方に確実に収納されるので、引き出された状態で放置されることがなく、ロッカーの前を歩くときも、ロッカー前面の床を清掃するときにも、プレートが邪魔になることがない。
【００１３】
請求項６記載のロッカーでは、プレートに抗菌加工を施したから、足に付着した雑菌や、空中に浮遊している雑菌がプレート表面で繁殖するのを抑え込むことができるので、汗等が腐敗して悪臭が発生するのを防止することができる。また他人とプレートを共用しても、これを介して、雑菌が感染するのを防止することができる。
【発明を実施するための最良の形態】
【００１４】
以下、本発明の実施の形態を図１から図７に基づいて説明する。
【実施例１】
【００１５】
図１は本発明を実施した四人用ロッカーの第１実施例を示す。ロッカー本体２は、矩形の天板３と、この天板３の両側端部と後端部に固着された側板４と、この側板４の内側に、下端から離れた位置で前記天板３と面並行になるように、後縁及び両側縁をそれぞれ固着された底板５と、前記側板４の前端の上，下端部に桟としてそれぞれ固着された前面パネル６，７と、これら前面パネル６，７に開閉自在に軸支された４個の扉８ａ〜８ｄとからなる。なお、この実施例では、前記側板４の下端部と前面パネル７とが支持部を構成しており、前記底板５を載地面、例えば床から浮かせている。このため，底板５の前縁は、前面パネル７の上端に固着される。また、扉８ａ〜８ｄには取手９、鍵10がそれぞれ取り付けられている。
【００１６】
扉８ａと扉８ｂ，扉８ｂと扉８ｃ，扉８ｃと扉８ｄの間には、仕切板11がそれぞれ設けられている。これら仕切板11の前端部と両側板４の前端部はそれぞれ折り返されている。これら折返部12は上端が前面パネル６に、下端が前面パネル７にそれぞれ係止し、天板３を支えている。仕切板11の各折返部12は、扉８ａ〜８ｃが閉められたときに、その裏面に当接して、回動を阻止する。なお、扉８ｄは閉められたときに、左側の側板４の折返部12に当接し、回動が阻止される。また折返部12の側面には、縦長な開口13が形成されており、鍵10がかけられたときに、前記開口13には、扉８に設けられたフック（図示省略）が嵌入する。これにより施錠がなされる。
【００１７】
前記開口13の上方には切欠き14が形成されている。この切欠き14に隣接する折返部12の前面には、開口15が形成されており、この開口15からは後述するモータを逆転させる第２スイッチとしてのマイクロスイッチ(以下、単にＭＳという)16ａの一部が臨出している。前記ＭＳ16ａは扉８ａの開閉に連動して、ＯＦＦ，ＯＮされ、扉８ａが閉められたときにＯＮする。このＭＳ16ａに隣接して、前記仕切板11にはモータを正転させる第１スイッチとしてのスイッチ(以下、単にＳＷという)17ａが取り付けられている。  
【００１８】
扉８ｂと扉８ｃ，扉８ｃと扉８ｄの間にある仕切板11と、左側の側板４には、前記開口13、切欠き14、開口15、ＭＳ16ｂ〜16ｄとＳＷ17ｂ〜17ｄがそれぞれ設けられている。なお、前記ＭＳ16ａ〜16ｄは扉８ａ〜８ｄの開閉に連動して、ＯＦＦ，ＯＮされ、扉８ａ〜８ｄが閉められたときにＯＮする。ＳＷ17ａ〜17ｄは復帰形スイッチで、押圧操作時にＯＮする。なお、この実施例では第２スイッチとして用い、扉の開閉に連動してＯＦＦ，ＯＮさせたが、第１スイッチのような復帰形スイッチを用いて、ＳＷ17ａ〜ＳＷ17ｄと同様に仕切板11に取り付けてもよい。この場合には第１スイッチと同じようにサイリスタやタイマ回路を用いて、電流供給を自己保持させる必要がある。
【００１９】
前記前面パネル７には、下端から切り欠かれた一対の切欠き18が形成されている。これら各切欠き18は横方向の長さが扉8の巾より長い、横長な矩形の形状をしている。各切欠き18を挟む前面パネル７の各端部には、折曲片21がビス止めされている。この折曲片21は図５に示すように、ガイド部22の前端部に設けられている。このガイド部22は断面がコの字型をしており、その内面がガイド面になっている。前記ガイド部22は図１に示すように前記切欠き18から底板５の下方に挿入されている。これら一対のガイド部22の間には、前記ガイド面に両端部下面が摺接して前後方向にスライドされるプレート23が挿入されている。
【００２０】
このプレート23は抗菌剤、例えば銀、銅の金属をイオン化させた状態で、担体にイオン交換または担持させたものが混練された、可撓性を有するプラスチックで成形されている。その形状は図３に示すように矩形をしており、後端部上面にマウント状の凸部24が設けられている。プレート23のサイズは奥行き方向の長さがロッカー本体２の奥行きとほぼ同じで、横方向の長さが扉の巾より長く、また対向するガイド面間の長さより若干短い。なお、プレート23の上面に抗菌加工をした布製のマット25を、図４に示すように４隅をビス26で止め、交換可能に固定してもよい。また、この実施例ではプレート23をプラスチックで成形したが、合成ゴムで成形してもよい。
【００２１】
右側のガイド部22の前側側面には、図５に示すように開口30が形成されている。この開口30の上縁側ガイド部22には、ころがり軸受31を固定した支持板32が固着されている。前記ころがり軸受31には駆動軸33が挿通された状態で固定されている。この駆動軸33の下端部にはゴム製の駆動ローラ34が固定され、また上端部にはウオームホイール35が形成されている。前記駆動ローラ34は、図６に示すように外周部が前記開口30からガイド面側に臨出し、プレート23の側面に当接する。またウオームホイール35はモータ36のシャフトに固定されたウオーム37と歯合している。なお、この実施例では、モータ36の回転を直にウオームホイール35に伝達したが、変速機を介して、ウオームホイール35に伝達してもよい。
【００２２】
左側のガイド部22の側面には、３個の開口38が形成されている。これら開口38に対応して、ガイド部22の上面に長穴39が形成された支持板40がそれぞれ固着されている。この支持板40の上面には、ころがり軸受41を固定したスライド板42がスライド自在に載置されている。ころがり軸受41には、長穴39及び支持板40の穴（図示省略）に挿通されたシャフト43が固定されており、このシャフト43の下端部には、前記開口38からガイド面に臨出するゴム製のガイドローラ44が固定されている。
【００２３】
前記スライド板42は支持板40に取り付けたバネ45で内側に付勢されている。これにより、ガイドローラ44はプレート23の側面を押圧し、プレート23を駆動ローラ34に圧接する。なお、この実施例では、動力伝達手段をウオーム37、ウオームホイール35、駆動軸33、及び駆動ローラ34で構成し、モータ36の回転をプレート23に伝達したが、プレート23の側面に設けたラックとモータ36のシャフトに固定したピニオンとを歯合させて、モータ36の回転をプレート23に伝達してもよい。
【００２４】
前記ガイド部22の前側上面と後側上面には、Ｌ字型の支持片46がそれぞれ固着されている。この前側の支持片46には第１センサとしてのＭＳ47がビス止めされている。このＭＳ47はプレート23が前方に最大送り出された図１に示す位置で位置検出を行い、このタイミングでＯＦＦされる。また後側の支持片46には、第２センサとしてのＭＳ48がビス止めされており、このＭＳ48はプレート23が底板５下方に押し込まれた図２に示す位置で位置検出を行い、このタイミングでＯＦＦされる。なお、ＭＳ47，ＭＳ48のビス止めは、長穴を介して行われており、前後方向に移動させる調整ができ、第１の位置及び第２の位置をずらすことが可能である。
【００２５】
図７は第１実施例の電気的構成を示す。この実施例では四人用ロッカーに２個のプレート23を設け、各プレート23をそれぞれ独立して動かすようにしたのであるから、ロッカー本体の右半分の構成について、以下説明する。電源安定化ユニット50は、メインスイッチ51、ヒューズ52を介して電源に接続されている。電源安定化ユニット50のプラス側出力端子には前記ＭＳ47が、またマイナス側出力端子には前記ＭＳ48がそれぞれ接続されている。
【００２６】
ＭＳ47はトランジスタ（以下、単にＴＲという）１のコレクタ、抵抗を介してＴＲ１のベースに、またサイリスタ53のアノードに、それぞれ接続されている。更にＭＳ47には並列に接続されたＳＷ17ａ，ＳＷ17ｂを介して、サイリスタ53のトリガに、また抵抗を介してアースにそれぞれ接続されている。なお、ＳＷ17ａ，ＳＷ17ｂは上述したように、操作時に接点が閉じる復帰形スイッチで押圧操作でＯＮする。なお、前記サイリスタ53の代わり、自己保持回路と組み合わせたＴＲを用いてもよい。
【００２７】
前記ＭＳ48はＴＲ２のコレクタに、抵抗を介してＴＲ２のベースに、更に直列に接続されたＭＳ16ａ，Ｍｓ16ｂを介してサイリスタ53のカソードにそれぞれ接続されている。また前記ＴＲ１のベースとＴＲ２のベースと間には、２個のダイオードが直列に接続されている。これら各のダイオードの中間点は、サイリスタ53のカソードに接続されている。なお、前記ＭＳ16ａ，Ｍｓ16ｂは、上述したように扉８ａ，扉８ｂの開閉に連動して、ＯＦＦ，ＯＮされ、扉８ａ，扉８ｂが閉じられたときにＯＮする。前記モータ36の一端は前記ＴＲ１，ＴＲ２の各エミッタに、また他端はアースに接続されている。
【００２８】
なお、ＴＲ，サイリスタ，抵抗等を実装したプリント基板は、天板上部の電装ボックス55に収納している。この電装ボックス55にはソケット，プラグ、メインＳＷ等が設けられている。ソケットやプラグを天板上部に設けると、ロッカー本体を並べて配置するときに、各ロッカー本体間に隙間を空けずに並べることができ、またコードに足を絡めることがない。またモータが回転していることを示すパイロットランプをロッカー本体の前面に取り付けてもよい。更にまたモータに熱電対を取り付け、モータに大きな負荷がかかり、規定以上に発熱したときに、モータへの電流供給を遮断する電流遮断器を設けてもよい。この遮断器が作動したときに異常を知らせる警告ランプを点灯させたり、もしくは警告ブザーを鳴らしたりしてもよい。
【００２９】
このように構成された本発明のロッカーは、上着のみを着替える場合には、扉８ａを開き、着替えを行う。このとき、ＭＳ16ａがＯＦＦするが、モータ36に電流が流れることがないので、プレート23は動くことはない。この後、扉８ａを閉めて、終了する。扉8ａが閉められると、ＭＳ16ａはＯＮするが、ＭＳ48がＯＦＦしているので、モータ36に電流が流れることはないから、プレート23が動くことはない。
【００３０】
ズボンを履き替える場合には、扉８ａを開き、ＳＷ17ａを押圧操作する。図１に示す状態では、ＭＳ47はＯＮしており、ＳＷ17ａがＯＮされると、サイリスタ53のトリガがハイ（以下、単にＨという）になり、サイリスタ53がＯＮする。これにより、ＴＲ１を介してモータ36に電流が流れ、モータ36が回転する。このときの回転を正転とする。
【００３１】
この正転はウオーム37，ウオームホイール35を介して駆動ローラ34に伝達され、駆動ローラ34が回転する。この駆動ローラ34には、バネ45で付勢されたガイドローラ44で押圧されたプレート23が押し付けられている。これにより、プレート23は駆動ローラ34に従動して、ロッカー本体の前方に送り出される。このタイミングでＭＳ48がＯＮする。前記送り出しは、プレート23の両端部下面がガイド部22のガイド面をスライドするのでスムーズに行われる。プレート23が図１に示す第１の位置に送り出されると、ＭＳ47がＯＦＦしてモータ36への電流の供給が断たれ、モータ36の回転が停止する。このため、プレート23は図示の位置で停止する。このとき、切欠き18から外に出たプレート23の大きさは、奥行き方向の長さがロッカー本体２の奥行きの２／３以上確保でき、その巾が１．５倍以上である。
【００３２】
この状態でズボンの履き替えを行う。まず履物を脱いだ両足をプレート23に乗せるが、足だけでなく、ズボンの裾も床に触れることがないから、これらが汚れることがない。またプレート23は両側端部がガイド部22に載り、中央部の後側が床から若干浮いているが、足を乗せたときに、その重さでプレート23が撓んで底が床に当接するから、ロッカー本体２が前に傾いたり、倒れたりすることがない。
【００３３】
着替えが終わり、プレート23から降りて履物を履いた後、扉８ａを閉めると、ＭＳ16ａがＯＮする。このとき、扉８ｂが閉じていると、ＭＳ16ｂがＯＮしているので、ＴＲ２のベースがＨになり、エミッタからベースに電流が流れ、モータ36が回転する。今モータ36に流れる電流の向きは、上述したＴＲ１がＯＮしたときにモータ36に流れた電流の向きと逆になるので、モータ36の回転は逆転となる。この逆転は駆動ローラ34に伝達され、プレート23を奥側に向けて移動する。このタイミングで、ＭＳ47がＯＮする。そして、図２に示す第２の位置までプレート23が移動すると、ＭＳ48がＯＦＦされる。ＭＳ48がＯＦＦすると、モータ36への電流の供給が断たれ、モータ36の回転が停止して、プレート23の動きも停止する。
【００３４】
ところで、隣の人が着替えをしていて扉８ｂが開いていると、扉８ａを閉めても、ＭＳ16ｂがＯＦＦしているので、ＴＲ２のベースはＨにならず、モータ36は逆転しない。モータ36が逆転しないので、プレート23は図１に示す位置に留まる。ズボンの履き替えを行うときは、履物を脱いで足をのせればよい。履き替えが終わり、履物を履いた後、扉８ｂを閉めると、ＭＳ16ｂがＯＮして、ＴＲ２のエミッタからベースに電流が流れてモータ36が逆転する。以後同様であるから、説明は省略する。
【００３５】
なお、この実施例では四人用のロッカーに２個のプレート23を配して、１個のプレート23を二人で共用したが、４個のプレート23を配して、各自専用のプレート23を使用できるようにしてもよい。この場合の電気的構成は、各プレート23を駆動するモータ36をそれぞれ設け、第１，第２スイッチをそれぞれ１個とすればよい。また、図３に示すサイズのプレート23を四人で共用してもよい。この場合には、プレート23の収納する位置をロッカー本体２正面の中央にしたり、また左寄り、もしくは右寄りにすることができる。このとき、第１，２スイッチはそれぞれ４個となる。
【実施例２】
【００３６】
図８は本発明の第２実施例を示す。この実施例では、予めモータ36の回転方向及び回転量を決めておき、オープン制御で、プレート60を出し入れするようにしている。なお、この実施例は、四人用ロッカーに４個のプレート60を設け、各自専用のプレート60を使用するようにしたものである。構成については図８から図10を参照して説明する。３個の仕切板11、及び左側の側面４には、第１スイッチとしてのＳＷ17ａ〜ＳＷ17ｄに隣接して、第２スイッチとしてのＳＷ16ａ〜ＳＷ16ｄが取り付けられている。これらＳＷ16ａ〜ＳＷ16ｄは復帰形スイッチで、押圧操作時にＯＮする。
【００３７】
前記プレート60は図９に示すように、上面が平らであり、この上面後端部にＬ字型のストッパ板61がビスで固定されている。このストッパ板61は前面パネル７に当接し、プレート60がロッカー本体2の前方へ送り出され過ぎたときに、抜け出すのを防止する。
【００３８】
図10は第２実施例の電気的構成を示す。電源安定化ユニット50のプラス側出力端子には、ＴＲ１のコレクタに、抵抗を介してＴＲ１のベースに、また他端が抵抗を介してアースに繋がっているＳＷ17ａに、自己保持時間を可変できるタイマ回路65に、及びＴＲ３のコレクタにそれぞれ接続されている。前記SW17ａの抵抗側端子にはタイマ回路65の入力端子に接続されている。このタイマ回路の出力端子はＴＲ３のベースに接続されている。
【００３９】
更に電源安定化ユニット50のマイナス側出力端子には、ＴＲ２のコレクタに、抵抗を介してＴＲ２のベースに、また他端が抵抗を介してアースに繋がっているＳＷ16ａに、自己保持時間を可変できるタイマ回路66に、及びＴＲ４のエミッタにそれぞれ接続されている。前記SW17ａの抵抗側端子にはタイマ回路66の入力端子に接続されている。このタイマ回路66の出力端子はＴＲ4のベースに接続されている。またＴＲ１，ＴＲ２のベースには、２個のダイオードが直列に接続されている。これら各ダイオードの中間点には、ＴＲ３のエミッタ，ＴＲ４のコレクタがそれぞれ接続されている。
【００４０】
このように構成された本発明のロッカーで、ズボンを履き替える場合には、扉８ａを開き、ＳＷ17ａを押圧すると、ＳＷ17ａがＯＮして、タイマ回路65が作動する。これにより、ＴＲ３のベース電流が流れ、ＴＲ３がＯＮして、モータ36にＴＲ１を介してモータ36に電流が流れ、モータ36が回転する。このときの回転を正転とする。この正転はスイッチ17ａの押圧が解除されても、タイマ回路65の自己保持により、ＴＲ３がＯＮしているので、継続される。前記自己保持の時間は、プレート60が図10に示す位置に送り出されるまでの時間と略同じに調整されている。
【００４１】
着替えが終わり、ＳＷ16ａを押圧すると、ＳＷ16ａがＯＮして、タイマ回路66が作動する。するとＴＲ４のベース電流が流れてＴＲ４がＯＮし、ＴＲ２がＯＮしてモータ36に逆向きの電流が流れ、モータ36が逆転する。ＳＷ16ａの押圧が解除されても、タイマ回路66が自己保持するから、逆転が継続される。この継続はプレート60がロッカー本体２の下方に収納されるまで行われる。なお、この実施例では、モータ36の正転電流、及び逆転電流を一定時間供給して、プレート60の移動量を制御したが、直流モータをステップモータに代え、マイコンのドライブパルスデータ、及び回転方向データに基づいて、ステップモータの制御を行い、プレートの移動量を制御してもよい。
【実施例３】
【００４２】
図11は本発明の第３実施例を示す。この実施例では、モータ36の回転方向及び回転量を手動制御して、プレート70を出し入れするようにしている。なお、この実施例は、第１実施例と同様に四人用ロッカーに２個のプレート70を設け、１個のプレート70を二人で共用したものであるから、第１実施例と異なる構成について、以下、図11から図13を参照して説明する。３個の仕切板11、及び左側の側面４には、第１スイッチとしてのＳＷ17ａ〜ＳＷ17ｄに隣接して、第２スイッチとしてのＳＷ16ａ〜ＳＷ16ｄが取り付けられている。これらＳＷ16ａ〜ＳＷ16ｄは復帰形スイッチで、押圧操作時にＯＮする。
【００４３】
前記プレート70は図12に示すように、上面が平らであり、この上面後端部にＬ字型のストッパ板61がビスで固定されている。このストッパ板61は前面パネル７に当接し、プレート70がロッカー本体2の前方へ送り出され過ぎたときに、抜け出すのを防止する。
【００４４】
図13は第３実施例の電気的構成を示す。電源安定化ユニット50のプラス側出力端子には、ＴＲ１のコレクタに、抵抗プレートを介してＴＲ１のベースに、またＳＷ17，ＳＷ17ｂにそれぞれ接続されている。更に電源安定化ユニット50のマイナス側出力端子には、ＴＲ２のコレクタに、抵抗を介してＴＲ２のベースに、またＳＷ16ａ，ＳＷ16ｂにそれぞれ接続されている。ＴＲ１，ＴＲ２のベースには、２個のダイオードが直列に接続されている。これら各のダイオードの中間点には、ＳＷ16ａ，ＳＷ16ｂ，ＳＷ17ａ，及びＳＷ17ｂがそれぞれ接続されている。
【００４５】
このように構成された本発明のロッカーにおいて、上着のみを着替える場合には、扉８ａを開き、着替えを行う。この後、扉８ａを閉めて、終了する。ズボンを履き替える場合には、扉８ａを開き、ＳＷ17ａを押圧操作する。これにより、ＴＲ１のベースがＨになり、ＴＲ１を介してモータ36に電流が流れ、モータ36が回転する。この回転はウオーム37、ウオームホイール35を介して駆動ローラ34に伝達され、駆動ローラ34が回転する。この駆動ローラ34には、バネ45で付勢されたガイドローラ44で押圧されたプレート70が押し付けられている。このため、プレート70は駆動ローラ34に従動して、ロッカー本体２の前方に送り出される。プレート70が図11に示す位置まで送り出されたときに、ＳＷ17ａの押圧操作を解除すると、ＴＲ１がＯＦＦになり、モータ36の回転が停止する。これにより、駆動ローラ34の回転が停止し、プレート70の送り出しが停止する。
【００４６】
ズボンの履き替えが終わり、ＳＷ16ａを押圧操作すると、ＴＲ２がＯＮし、モータ36に電流が流れる。このときの電流の向きは、ＳＷ17ａが押圧されたときと逆になり、モータ36の回転方向が逆になる。これにより、駆動ローラ34の回転が逆となり、プレート70がロッカー本体２の奥側に向けて移動する。プレート70がロッカー本体２の輪郭内に収納されたときに、ＳＷ16ａの押圧操作を解除すると、モータ36の回転が停止し、プレート70の動きが停止する。
【図面の簡単な説明】
【００４７】
【図１】本発明を実施したロッカーの第１実施例で、プレートを引き出した状態を示す斜視図である。
【図２】本発明のロッカーでプレートを収納した状態を示す斜視図である。
【図３】プレートを拡大して示す斜視図である。
【図４】プレートの変形例を示す斜視図である。
【図５】カイド部を拡大して示す斜視図である。
【図６】ガイド部とローラの位置関係を示す斜視図である。
【図７】第１実施例の電気的構成を示す図である。
【図８】本発明を実施したロッカーの第２実施例で、プレートを引き出した状態を示す斜視図である。
【図９】第２実施例で用いられるプレートを拡大して示す斜視図である。
【図１０】第１実施例の電気的構成を示す図である。
【図１１】本発明を実施したロッカーの第２実施例で、プレートを引き出した状態を示す斜視図である。
【図１２】第3実施例で用いられるプレートを拡大して示す斜視図である。
【図１３】第3実施例の電気的構成を示す図である。
【符号の説明】
【００４８】
２                    ロッカー本体
６，７                前面パネル
18                    切欠き
23                    プレート  
【図１】
2007252471.tif 000003
【図２】
2007252471.tif 000004
【図３】
2007252471.tif 000005
【図４】
2007252471.tif 000006
【図５】
2007252471.tif 000007
【図６】
2007252471.tif 000008
【図７】
2007252471.tif 000009
【図８】
2007252471.tif 000010
【図９】
2007252471.tif 000011
【図１０】
2007252471.tif 000012
【図１１】
2007252471.tif 000013
【図１２】
2007252471.tif 000014
【図１３】
2007252471.tif 000015